(57)【要約】【課題】より安価にかつ簡単に耐摩耗性を向上させることができるリングロール成形機を提供する。【解決手段】円環状ワークＷの外周側に成形ロール１１を配置し、円環状ワークＷの内周側にマンドレル１２を配置して、円環状ワークＷの一部を挟圧する。円環状ワークＷの外周側には、径方向に対して垂直方向に挟むように一対のアキシャルロール１３を配置し、その間に測定ロール１４を配置する。また、成形ロール１１の両側にセンターリングロール１５を配置する。マンドレル１２、アキシャルロール１３、測定ロール１４、および、センターリングロール１５のうちの少なくとも１つは、少なくとも円環状ワークＷと接触する部分が、高周波焼入れにより表面を硬化させた鋼材により構成されている。【選択図】図１
0003206922.tif 000002
【実用新案登録請求の範囲】
【請求項１】
円環状ワークを薄肉化しつつ拡径してリングロール製品を製造するリングロール成形機であって、
前記円環状ワークの外周側に配置され、外径の形状を成形する成形ロールと、
前記円環状ワークの内周側に配置され、内径の形状を成形するマンドレルと、
前記円環状ワークを径方向に対して垂直方向において挟むように配置され、径方向に対して垂直方向の圧延を行う一対のアキシャルロールと、
前記円環状ワークの外周側に配置され、前記円環状ワークを滑らかに回転させると共に、真円を保持するためのセンターリングロールと、
前記円環状ワークの外周側に配置され、前記円環状ワークの外径を測定する測定ロールとを備え、
前記マンドレル、前記アキシャルロール、前記センターリングロール、及び、前記測定ロールのうちの少なくとも１つは、少なくとも前記円環状ワークと接触する部分が、高周波焼入れにより表面を硬化させた鋼材よりなる
ことを特徴とするリングロール成形機。
【請求項２】
前記鋼材は、クロムモリブデン鋼鋼材、ニッケルクロムモリブデン鋼鋼材、又は、ＳＫＤ材よりなることを特徴とする請求項１記載のリングロール成形機。
【考案の詳細な説明】
【技術分野】
【０００１】
本考案は、リングロール工法によりリングロール製品を製造するリングロール成形機に関する。
【背景技術】
【０００２】
リングロール工法は、円環状のワークに対し、その内周側に位置させたマンドレルと外周側に位置させた成形ロールとでワークの円環の一部を挟圧しつつ回転させて、ワークをより薄肉で大径の製品に成形するものである（例えば、特許文献１参照）。このリングロール工法によれば、製造時の材料歩留まりを向上させることができ、また、溝付き製品を容易に製造することができ、更に、厚みのばらつきを非常に小さくすることができる。
【０００３】
このリングロール工法で用いられるリングロール成形機としては、例えば、円環状ワークの外周側に成形ロールを配置し、内周側にマンドレルを配置して厚み方向の圧延を行い、円環状ワークの高さ方向については一対のアキシャルロールで挟んで圧延を行うものが知られている。また、円環状ワークの外周側には、真円を保持するためのセンターリングロール、及び、円環状ワークの外径を測定する測定ロールが配置されている。このうちマンドレル、アキシャルロール、センターリングロール、及び、測定ロールには、例えば、クロムモリブデン鋼鋼材（ＳＣＭ材）、ニッケルクロムモリブデン鋼鋼材（ＳＮＣＭ材）、あるいは、ＳＫＤ６１材（ＪＩＳ規格）等の調質材を使用している。
【先行技術文献】
【特許文献】
【０００４】
【特許文献１】特開２０１５−２４４２０号公報
【考案の概要】
【考案が解決しようとする課題】
【０００５】
しかし、これらの調質硬さは、クロムモリブデン鋼鋼材及びニッケルクロムモリブデン鋼鋼材がＨＲＣ３８程度、ダイス鋼がＨＲＣ５３程度である。そこで、耐摩耗性を向上させて寿命化を図るために、表面に高硬度材を肉盛り溶接したり、プラズマ紛体肉盛り溶接することを行っているが、価格が高くなり、更に、製作リードタイムもが長くなってしまうという問題点があった。
【０００６】
本考案は、このような問題に基づきなされたものであり、より安価にかつ簡単に耐摩耗性を向上させることができるリングロール成形機を提供することを目的とする。
【課題を解決するための手段】
【０００７】
本考案のリングロール成形機は、円環状ワークを薄肉化しつつ拡径してリングロール製品を製造するものであって、円環状ワークの外周側に配置され、外径の形状を成形する成形ロールと、円環状ワークの内周側に配置され、内径の形状を成形するマンドレルと、円環状ワークを径方向に対して垂直方向において挟むように配置され、径方向に対して垂直方向の圧延を行う一対のアキシャルロールと、円環状ワークの外周側に配置され、円環状ワークを滑らかに回転させると共に、真円を保持するためのセンターリングロールと、円環状ワークの外周側に配置され、円環状ワークの外径を測定する測定ロールとを備え、マンドレル、アキシャルロール、センターリングロール、及び、測定ロールのうちの少なくとも１つは、少なくとも円環状ワークと接触する部分が、高周波焼入れにより表面を硬化させた鋼材よりなるものである。
【考案の効果】
【０００８】
本考案によれば、マンドレル、アキシャルロール、センターリングロール、及び、測定ロールのうちの少なくとも１つについて、少なくとも円環状ワークと接触する部分を高周波焼入れにより硬化させるようにしたので、安価にかつ簡単に耐摩耗性を向上させることができる。
【図面の簡単な説明】
【０００９】
【図１】本考案の一実施の形態に係るリングロール成形機の要部の構成を表す図である。
【考案を実施するための形態】
【００１０】
以下、本考案の実施の形態について図面を参照して詳細に説明する。
【００１１】
図１は、本考案の一実施の形態に係るリングロール成形機１０の要部の構成を表すものである。このリングロール成形機１０は、円環状ワークＷの外周側に配置された成形ロール１１と、円環状ワークＷの内周側に配置されたマンドレル１２との間で、円環状ワークＷの一部を挟圧するリングロール工法によりリングロール製品を製造するものである。
【００１２】
成形ロール１１は、外径の形状を成形するためのものであり、マンドレル１２は、内径の形状を成形するためのものである。成形ロール１１及びマンドレル１２は、成形ロール１１の回転によりマンドレル１２及び円環状ワークＷが従回転するように配設されており、マンドレル１２よりも成形ロール１１の方が大径となっている。このリングロール成形機１０は、例えば、成形ロール１１の外周面に円環状ワークＷの外周面が圧接され、円環状ワークＷの内周面にマンドレル１２の外周面が圧接されて、それらを回転させながら、成形ロール１１とマンドレル１２とが相対的に近づく方向に移動するように構成されている。これにより、成形ロール１１とマンドレル１２とに挟持された円環状ワークＷは薄肉化しつつ拡径するようになっている。成形ロール１１の外周面形状は、製造するリングロール製品の外周面及び幅面形状に対応して形成されており、マンドレル１２の外周面形状は、製造するリングロール製品の内周面形状に対応して形成されている。
【００１３】
リングロール成形機１０は、また、円環状ワークＷを径方向に対して垂直方向において挟むように配置され、径方向に対して垂直方向の圧延を行う一対のアキシャルロール１３を備えている。この一対のアキシャルロール１３は、例えば、成形ロール１１の反対側に配置され、それぞれ円錐形状又は円錐台形状とされている。一対のアキシャルロール１３の間には、例えば、円環状ワークＷの外周側に測定ロール１４が配置されている。測定ロール１４は、圧延中に円環状ワークＷと接触して、円環状ワークＷの外径を測定するようになっている。リングロール成形機１０は、更に、円環状ワークＷの外周側に配置され、円環状ワークＷを滑らかに回転させると共に、真円を保持するためのセンターリングロール１５を備えている。センターリングロール１５は、例えば、成形ロール１１の両側に１つずつ配置されている。
【００１４】
マンドレル１２、アキシャルロール１３、測定ロール１４、および、センターリングロール１５のうちの少なくとも１つは、少なくとも円環状ワークＷと接触する部分が、高周波焼入れにより表面を硬化させた鋼材により構成されている。これらを構成する鋼材としては、例えば、クロムモリブデン鋼鋼材（ＳＣＭ材）、ニッケルクロムモリブデン鋼鋼材（ＳＮＣＭ材）、又は、ＳＫＤ材（ＪＩＳ規格のＳＫＤ材及びその改良鋼種）が好ましい。これにより、安価に、かつ、表面硬さをＨＲＣ５９程度に高めることができる。
【００１５】
このリングロール成形機１０は、例えば、次のようにしてリングロール製品を製造する。まず、例えば、円環状ワークＷの外周面に成形ロール１１の外周面を当接させて配設すると共に、円環状ワークＷの内周面にマンドレル１２の外周面を当接させて配設する。次いで、これらを回転させながら、成形ロール１１とマンドレル１１とを相対的に近づけるように移動させる。これにより、円環状ワークＷの肉厚が薄くなると共に、その分、円環状ワークＷの径が拡大される。円環状ワークＷの外径は、測定ロール１４により測定され、円環状ワークＷの径方向に対して垂直方向への伸びは、一対のアキシャルロール１３により圧延され、制御される。
【００１６】
このように、本実施の形態によれば、マンドレル１２、アキシャルロール１３、測定ロール１４、及び、センターリングロール１５のうちの少なくとも１つについて、少なくとも円環状ワークＷと接触する部分を高周波焼入れにより硬化させるようにしたので、安価にかつ簡単に耐摩耗性を向上させることができる。
【００１７】
以上、実施の形態を挙げて本考案を説明したが、本考案は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【産業上の利用可能性】
【００１８】
リングロール工法に用いることができる。
【符号の説明】
【００１９】
１０…リングロール成形機、１１…成形ロール、１２…マンドレル、１３…アキシャルロール、１４…測定ロール、１５…センターリングロール、Ｗ…円環状ワーク
【図１】
0003206922.tif 000003